(57)【要約】【課題】路面融雪用ないし冷却用の水を供給する散水管や送水管を長手方向に内蔵した細長いコンクリートブロックや、無水融雪を行うための熱を供給するヒートパイプや電熱線を内蔵した矩形平板状のコンクリートブロックに関し、散・送水管やヒートパイプ、電熱線などの融雪水ないし冷却水や融雪熱を供給する管状体の補修や交換を容易に行うことができ、かつ古い設備の廃棄に際して材料毎の分別回収を可能にする技術手段を提供する。【解決手段】散水ブロックないし融雪ブロックを、水平面で上ブロックと下ブロックとに分割し、上下のブロックの分割面（下ブロックの上面、上ブロックの下面又はその両面）に散水管、送水管又はヒートパイプや電熱線を収容する溝を設けておき、当該溝に収容する管状体を固定するナットなどの固定金具を前記溝に沿って所定間隔で配置すると共に、上ブロック７と下ブロックとをボルト、ナット等で締結固定する。【選択図】      図２
2005188051.tif 000002
【特許請求の範囲】
【請求項１】
下ブロック(4,21,26)と、当該下ブロックに離脱可能に覆着固定される上ブロック(7,20,27)とを備え、水を供給する管状体(9,10,29)を挿入する溝(2,3,22,28)が上下ブロックの分割面に成形されている、散水ブロック。
【請求項２】
管状体が散水管(9)又は散水管と送水管(9,10)であり、当該管の固定金具(11)が上ブロック下面に設けられ、当該上ブロックが前記固定金具で固定した散水管(9)の枝管(14)が押接接続される散水ノズル(5)を備えている、請求項１記載の散水ブロック。
【請求項３】
下ブロック(4,21,26)と、当該下ブロックに離脱可能に覆着固定される上ブロック(7,20,27)とを備え、融雪熱を供給する管状体(9,10,29)を挿入する溝(2,3,22,28)が上下ブロックの分割面に成形されている、融雪ブロック。
【請求項４】
管状体が無水融雪用のヒートパイプないし電熱線(29)であり、下ブロック(26)の上面に当該管状体の太さに応じた断面寸法の溝(28)がジグザグに設けられている、正方形又は矩形パネル状の請求項３記載の融雪ブロック。
【発明の詳細な説明】
【技術分野】
【０００１】
この発明は、融雪ないし冷却用の水を供給する散水管や送水管を長手方向に内蔵した細長いコンクリートブロックや、無水融雪を行うための熱を供給するヒートパイプや電熱線を内蔵した矩形平板状のコンクリートブロックに関するものである。
【背景技術】
【０００２】
道路に融雪水（雪を融かす水）を散水して道路の融雪を行うときや、いわゆるヒートアイランド現象を緩和するために道路に散水してその気化熱で路面を冷却することが行われている。
【０００３】
道路に散水を行う場合には、所定間隔で頂部に散水ノズルを設けかつ当該散水ノズルに連通する枝管を備えた散水管を埋設した散水ブロックを道路に沿って敷設する必要があり、またその散水管に水を供給する送水管を埋設したコンクリートブロックを併せて埋設する必要がある。散水管や送水管は、金属管や合成樹脂管（主に塩ビ管）で、従来のこの種散水ブロックは、散水管や送水管をブロックに埋設して一体化した状態で成形されていた。
【０００４】
また、路面下に融雪の熱源となるヒートパイプや電熱線を埋め込んだ無水融雪道路は、道路の基盤にコンクリートを打設した後、ヒートパイプや電熱線をジグザグに配置し、その上にコンクリートやアスファルトを流して舗装するという工法が採られていた。
【０００５】
融雪水や冷却水を流す散水管や送水管は、流れる流量によって管径が異なり、一般的には呼び径２５０ｍｍないし５０ｍｍの管径のものが送水量に合せて使い分けられている。従って、融雪又は路面冷却用の散水ブロックは、外観形状や寸法が同じであっても、埋設された散水管や送水管の管径が異なる複数種類のものが存在する。
【発明の開示】
【発明が解決しようとする課題】
【０００６】
散水ブロックは、前述したように、外形寸法が同一であっても水の流量によって埋設される管の径が異なる。そのため、水量が決まらなければブロックを成型することができず、ブロックの使用数量が多いと、道路の施工にブロックの供給が間に合わなくなるということが起こる。この問題を避けるために、ブロックを在庫として準備しておこうとすると、管径の異なる多数の種類を準備しなければならないため、在庫量が多くなり、在庫スペース及び在庫投資が増大する。
【０００７】
また、道路の改修などで不要になった散水ブロックを廃棄するとき、管がコンクリートに埋め込まれて一体となっているため、管とコンクリートとを分別回収することが困難で、特に管として塩ビ管が用いられているときは、管をコンクリートから分離することが全く不可能である。
【０００８】
一方、ヒートパイプや電熱線を用いた無水融雪道路においては、ヒートパイプや電熱線が損傷したり、路面の一部の改修を必要とするときに、当該ヒートパイプや電熱線が埋設された路面全体の交換が必要になり、しかも古いヒートパイプや電熱線の分離回収も困難なので、修理や改修に費用がかかり不経済であるという問題があった。
【０００９】
この発明は、上記のような問題を解決して、散・送水管やヒートパイプ、電熱線などの融雪熱や冷却水を供給する管状体の補修や交換を容易に行うことができ、かつ古い設備の廃棄に際して材料毎の分別回収を可能にする技術手段を提供することを課題としている。
【課題を解決するための手段】
【００１０】
この発明では、散水ブロック１ａ、１ｂないし融雪ブロック１ｃを、水平面で上ブロック７、２０、２７と下ブロック４、２１、２６とに分割し、上下のブロックの分割面（下ブロックの上面、上ブロックの下面又はその両面）に散水管９、送水管１０、ヒートパイプや電熱線２９を収容する溝２、３、２２、２８を設けておき、当該溝に収容する管状体９、１０、２９を固定するナットなどの固定金具１１を前記溝に沿って所定間隔で配置すると共に、上ブロック７、２０、２７と下ブロック４、２１、２６とをボルト、ナット等で締結固定することにより、上記課題を解決している。
【００１１】
即ち、この出願の請求項１の発明に係る散水ブロックは、下ブロック４、２１と、当該下ブロックに離脱可能に覆着固定される上ブロック７、２０とを備え、水を供給する管状体９、１０を挿入する溝２、３、２２が上下ブロックの分割面に成形されているというものである。
【００１２】
また、この出願の請求項３の発明に係る融雪ブロックは、下ブロック２６と、当該下ブロックに離脱可能に覆着固定される上ブロック２７とを備え、融雪熱を供給する管状体２９を挿入する溝２８が上下ブロックの分割面に成形されているというものである。
【００１３】
上記構造は、融雪水や冷却水を散水する散水ブロック１ａ、１ｂと、ヒートパイプや電熱線２９を用いる融雪ブロック１ｃとに共通する構造である。
【００１４】
融雪水を散水する融雪ブロック及び路面冷却用の散水ブロックにおいては、請求項２に記載の構造、即ち、請求項１記載の管状体が散水管９又は散水管と送水管９、１０であり、当該管の固定金具１１が上ブロック下面に設けられ、当該上ブロックが前記固定金具で固定した散水管９の枝管１４が押接接続される散水ノズル５を備えている構造が好ましい。
【００１５】
散水管９を内蔵した散水ブロックでは、ブロック上面に所定間隔で散水ノズル５が設けられる。この散水ノズルは、水封用のパッキン（Ｏリングなど）を装着した接続口を下方に向けて開口させた状態で上ブロック７、２０に固定される。そして、枝管１４を設けた散水管９を上ブロック７、２０に設けた固定金具１１に固定したとき、その固定力で枝管１４の先端がノズルの前記開口１５に押し付けられないし押し込まれて、枝管１４と散水ノズル５とが散水管９の上ブロック７、２０への固定によって自動的に接続されるようにする。
【００１６】
一方、融雪用の熱源として、ヒートパイプや電熱線２９を利用する無水融雪用の融雪ブロック１ｃは、請求項４に記載のように、請求項３記載の管状体が無水融雪用のヒートパイプないし電熱線２９であり、下ブロック２６の上面に当該管状体の太さに応じた断面寸法の溝２８がジグザグに設けられている、正方形又は矩形パネル状の構造が好ましい。
【００１７】
この場合の管状体２９固定用の固定金具１１は、下ブロック２６側に設け、溝２８に挿入された管状体２９を固定金具１１で下ブロック２６に固定した後、必要ならば上ブロック２７と下ブロック２６との間に伝熱を良好にするための金属箔や伝熱ペーストを挟んだ状態で上ブロック２７を覆着固定する。
【発明の効果】
【００１８】
上記この発明の構造では、コンクリートのブロック本体と管状体９、１０、２９とが一体に固着されておらず、上ブロックと下ブロックとを分離することにより、管状体が露出し、更に固定金具１１から管状体を取り外すことができるので、損傷した管状体の補修が容易であり、またブロックの廃棄時にコンクリート本体と管状体とを容易に分離回収することができる。
【００１９】
更に散水ブロックにおいては、溝２、３、２２の断面積を管状体９、１０の太さに合せて設ける必要がないので、溝２、３、２２をそのブロックに内蔵される最大径の管寸法に合せて作っておけば、それより小径の管は溝２、３、２２に収容することが可能で、従って複数の管径に対して１種類のブロックを準備すればよく、ブロックの在庫量を大幅に低減できる。
【００２０】
更に請求項２の発明によれば、散水管９を上ブロック７、２０に固定する作業で、複数本（一般には４本又は５本）の枝管１４と散水ノズル５との接続作業も同時に行われ、ブロック組立時の作業性の向上が図れる。
【発明を実施するための最良の形態】
【００２１】
以下、図面を参照して、この発明の最良の実施形態を説明する。図１は散・送水用の散水ブロック、図２は散水ブロック、図３は図２の散水ブロックの斜視図、図４は無水融雪用ブロックの一例を示す断面図、図５は図４のブロックの下ブロックの平面図である。
【００２２】
図１の散水ブロック１ａは、上面に２列のＵ字溝２、３を形成した図の紙面直角方向に細長い断面矩形の下ブロック４と、散水ノズル５の装着部分に突出部６を形成した図の紙面直角方向に細長い帯板状の上ブロック７とを備えている。上ブロックの突出部６の上部中央に装着された散水ノズル５の下方には、上ブロックの下面（分割面）に通ずる枝管挿通孔８が成形されている。
【００２３】
上ブロック７の下面のＵ字溝２、３の両側となる部分には、ブロックの長手方向（図の紙面直角方向）に所定間隔で散水管９及び送水管１０を固定するためのナット１１が埋め込まれており、散水管９や送水管１０は、Ｕ字形のブラケット１２をボルト１３でこれらのナット１１に締結することにより、上ブロック７の下面に固定されている。
【００２４】
散水管９には、散水ノズルの配設ピッチ（図の紙面直角方向の配設ピッチ。通常１本のブロックに４個又は５個の散水ノズルが取り付けられる）と等しい間隔で枝管１４が設けられており、散水管９をブラケット１２で上ブロック７に固定したとき、これらの枝管１４の先端が散水ノズル５の下端の開口孔１５に挿入されて、枝管１４と散水ノズル５とが接続される。この接続部の水漏れは、散水ノズル５の開口部に設けた図示しないＯリングによって防止される。
【００２５】
下ブロック４の上面には適宜間隔で上ブロック７を締結固定するためのナット１６が埋め込まれており、上ブロック７の対応する箇所には、ボルト頭を収容する凹所１７を備えたボルト挿通孔１８が成形されている。上ブロック７をボルト１９で下ブロック４に締結固定することにより、散水管９と送水管１０とを平行に内蔵した散水ブロック１ａが組立てられる。
【００２６】
一般的に用いられている散水管の直径は、２００ｍｍ〜５０ｍｍであり、送水管の直径は２５０ｍｍ〜５０ｍｍである。従って、散水管用の溝２として幅２００ｍｍ、送水管用の溝３として幅２５０ｍｍのものを成形しておけば、１種類のブロックで一般に用いられる総ての管径の散水管及び送水管に対応できる。小径の管を用いるときのブロックの断面を小さくしたいならば、大径管用のブロックと小径管用のブロックとの２種類とし、例えばＵ字溝２、３の溝幅を大径管用のものでは２００と２５０ｍｍ、小径管用のものは１００ｍｍというようにすればよい。
【００２７】
ブロックに作用する車重などの外力は、総て上ブロック７と下ブロック４とのブロック本体で受け止められるので、管９、１０とブロック４、７との間に空間が存在しても、ブロックの強度や機能になんら問題を生ずることはない。なお、上ブロック７及び下ブロック４には、その強度を保証するために鉄筋が配置されるが、これは従来から行われている当然のことなので、図には示してない。
【００２８】
図２及び図３は、散水管９のみを内蔵した散水ブロック１ｂの例で、図２は断面図、図３は斜視図である。この散水用ブロックは、図１のブロックの左半分と略同一の構造で、異なる点は上ブロック２０と下ブロック２１との分割位置が散水管９を収容する空所２２の中間位置にあり、当該空所２２が下ブロック２１の上面の半円断面の溝２３と、上ブロック２０の下面のコの字断面の溝２４とで形成されていること、ブロック断面が左右対称かつ上下非対称の八角断面であること及び上ブロック２０と下ブロック２１との接合面に水封用のパッキン２５が設けられている点である。その他の構造は、図１の実施形態における散水管９及び散水ノズル５装着部分の構造と同様であるので、図１で説明した部材には、図１と同じ符号を付してその説明を省略する。
【００２９】
図４及び図５は、無水融雪用のパネル状のブロック１ｃの例で、図４は断面図、図５は下ブロックの平面図である。下ブロック２６及び上ブロック２７は、正方形の平板状で、下ブロック２６の上面には、ジグザグ状に溝２８が成形され、当該溝にちょうど嵌合する太さのヒートパイプないし電熱線２９が嵌め込まれている。下ブロック２６の上面適宜箇所には、上ブロック２７を締結固定するためのナット１６が埋め込まれており、上ブロック２７の対応する箇所には、図１で説明したと同様なボルト頭を収容する凹所を備えたボルト挿通孔１８が成形され、このボルト挿通孔に挿通したボルト１９と、前記ナット１６とにより、上ブロック２７と下ブロック２６とが締結固定されている。
【００３０】
上ブロック２７と下ブロック２６の締結面及び溝２８に嵌め込んだヒートパイプないし電熱線２９と上ブロック２７の下面との隙間には、アルミ箔などの金属箔や金属粉を含んだ伝熱ペーストを充填して、ヒートパイプないし電熱線２９の熱が上ブロック２７に良好に伝達されるようにするのが好ましい。
【００３１】
図４、５の融雪ブロックは、路盤に下ブロック２６をタイル状に並べて固定し、その上に上ブロック２７を定着することによって、融雪路面が形成される。ボルト１９を取り外せば、上ブロック２７を下ブロック２６から離脱させることができ、レッカー車などで上ブロック２７を吊り上げて、ヒートパイプないし電熱線２９の保守、交換、接続工事などを行うことができる。
【図面の簡単な説明】
【００３２】
【図１】散・送水用ブロックの一例を示す断面図
【図２】散水用ブロックの一例を示す断面図
【図３】図２のブロックの斜視図
【図４】無水融雪用ブロックの一例を示す断面図
【図５】図４のブロックの下ブロックの平面図
【符号の説明】
【００３３】
２  Ｕ字溝
３  Ｕ字溝
４  下ブロック
５  散水ノズル
７  上ブロック
９  散水管
10  送水管
11  ナット
14  枝管
20  上ブロック
21  下ブロック
22  空所
26  下ブロック
27  上ブロック
28  ジグザグ状溝
29  電熱線
【図１】
2005188051.tif 000003
【図２】
2005188051.tif 000004
【図３】
2005188051.tif 000005
【図４】
2005188051.tif 000006
【図５】
2005188051.tif 000007